(57)【要約】【課題】装着に係る作業性がよく、装飾に係る美観を一層向上する。【解決手段】商品（瓶１）の首３の先端において、箱本体１０の底壁１１から側壁１２Ａに沿って立設する装着部１５と、該装着部１５に連続する装飾部１６とを備え、該装飾部１６に、商品の首３に上方から押し下げて挿通させる挿通溝１９と、該挿通溝１９の上端に連続し首３を位置決めする位置決め溝２０とを形成するとともに、これら挿通溝１９と位置決め溝２０の境界部分に首３の表面に係止する係止部２１を形成した装飾ヘッド部材１４を設ける。【選択図】　図１
2004010072.tif 000002
【特許請求の範囲】
【請求項１】
上向きに開口した箱本体の内部に、胴と該胴より断面積が小さい首を有する商品を縦方向に寝かせて収容させる包装箱において、
前記商品の首の先端において、前記箱本体の底壁から側壁に沿って立設する装着部と、該装着部と連続する装飾部とを備え、該装飾部に、前記商品の首に上方から押し下げて挿通させる挿通溝と、該挿通溝の上端に連続し前記首の周囲に外嵌して位置決めする位置決め溝とを形成するとともに、これら挿通溝と位置決め溝の境界部分に首の表面に係止する係止部を形成した装飾ヘッド部材を設けたことを特徴とする包装箱。
【請求項２】
前記箱本体の横方向に対向する側壁に沿って立設する立上部と、該立上部の上端に連続し前記商品の胴の外周部に沿って湾曲する湾曲部とを備えた装飾部材を更に設けたことを特徴とする請求項１に記載の包装箱。
【請求項３】
前記箱本体の内部に２以上の商品を並列に収容するために、
前記箱本体の底壁に敷設する底壁と、該底壁の中央から立設し隣接する商品の間に位置する仕切壁とを備えた下敷部材と、
前記箱本体の横方向に対向する側壁に沿って立設する立上部と、該立上部の上端に連続し前記商品の胴の外周部に沿って湾曲するとともに前記仕切壁の上部で湾曲方向を反転して連続する湾曲部とを備えた装飾部材と
からなる中敷きを更に設けたことを特徴とする請求項１に記載の包装箱。
【発明の詳細な説明】
【０００１】
【発明の属する技術分野】
本発明は、胴より断面積が小さい首を有する商品を収容し、その周囲を装飾できるようにした包装箱に関するものである。
【０００２】
【従来の技術】
この種の包装箱は、その内部に所定の商品を収容する際に、装飾用中敷材を敷設することにより、商品の周囲を装飾できるようにしたものがある。そのうち、お酒が収容された瓶を商品として収容する包装箱では、瓶の胴の部分を載置する胴体載置部と、瓶の首（注口が設けられた小径側）を載置する枕部とを備えた中敷材を使用している。前記枕部は、前記胴体載置部より上方に隆起した形状をなし、瓶の首と対応する位置には、溝状に切り落とした位置決め部が設けられている。また、包装箱の内部に２本以上の瓶を収容する場合には、前記胴体載置部に隣接する瓶を仕切る仕切壁が設けられている。
【０００３】
【発明が解決しようとする課題】
しかしながら、前記中敷材を使用した包装箱は、箱本体に対する中敷材の装着作業性が悪いという問題がある。具体的には、まず、胴体載置部を箱本体の隅に位置決めした状態で、該胴体載置部から隆起する枕部を折り曲げながら収容する必要があるため、装着作業性が悪い。この問題は、商品として２本以上の瓶を収容するものの場合、胴体載置部に形成した仕切壁の存在により顕著に現れる。
【０００４】
また、前記中敷材は、隆起した枕部を設けるとともに、その枕部に位置決め部を設けているため、瓶の収容状態での安定性が高め、かつ、装飾性にも優れているが、近年では、より高い装飾性が求められている。
【０００５】
そこで、本発明では、装着に係る作業性がよく、装飾に係る美観を一層向上できる包装箱を提供することを課題とするものである。
【０００６】
【課題を解決するための手段】
前記課題を解決するため、本発明の包装箱は、上向きに開口した箱本体の内部に、胴と該胴より断面積が小さい首を有する商品を縦方向に寝かせて収容させる包装箱において、前記商品の首の先端において、前記箱本体の底壁から側壁に沿って立設する装着部と、該装着部と連続する装飾部とを備え、該装飾部に、前記商品の首に上方から押し下げて挿通させる挿通溝と、該挿通溝の上端に連続し前記首の周囲に外嵌して位置決めする位置決め溝とを形成するとともに、これら挿通溝と位置決め溝の境界部分に首の表面に係止する係止部を形成した装飾ヘッド部材を設けた構成としている。
【０００７】
この包装箱では、例えば、商品を収容させた後、その商品の先端と箱本体の側壁との間に、装飾ヘッド部材の装着部を挿入する。ついで、商品の首上に延びている装飾ヘッド部材の装飾部を上方から押し下げる。そうすると、この装飾部は、挿通溝の内部に瓶の首が位置し、該挿通溝に首が挿通され、ついで、係止部が首の外周部に干渉する。この状態で、作業者は、装飾部を無理に押し下げることにより、係止部が撓みながら下側に乗り越える。これにより、挿通溝と連続した位置決め溝内に瓶の首が位置し、また、装飾部が自身の弾性により原状に戻るように作用することにより、係止部が首の外面に係止した傾斜状態を維持する。
【０００８】
このように、本発明の包装箱では、装飾ヘッド部材を箱本体に差し込んだ状態で、装飾部を押し下げるだけで、簡単に装着することができる。また、商品の首の外周は、傾斜した装飾部で覆われるため、より装飾に係る美観を向上できる。
【０００９】
前記包装箱では、前記箱本体の横方向に対向する側壁に沿って立設する立上部と、該立上部の上端に連続し前記商品の胴の外周部に沿って湾曲する湾曲部とを備えた装飾部材を更に設けることが好ましい。このようにすれば、装飾に係る美観を一層向上できる。
【００１０】
または、前記箱本体の内部に２以上の商品を並列に収容するために、前記箱本体の底壁に敷設する底壁と、該底壁の中央から立設し隣接する商品の間に位置する仕切壁とを備えた下敷部材と、前記箱本体の横方向に対向する側壁に沿って立設する立上部と、該立上部の上端に連続し前記商品の胴の外周部に沿って湾曲するとともに前記仕切壁の上部で湾曲方向を反転して連続する湾曲部とを備えた装飾部材とからなる中敷きを更に設けることが好ましい。このようにすれば、２以上の商品を損傷させることなく、装飾に係る美観を一層向上できる。
【００１１】
【発明の実施の形態】
以下、本発明の実施の形態を図面に従って説明する。
図１から図５は本発明に係る実施形態の包装箱を示す。この包装箱は、商品として２本の瓶１を収容するもので、上向きに開口する箱本体１０と、該箱本体１０を閉塞する図示しない蓋体を備え、その内部に装飾ヘッド部材１４と中敷き２４とを配設し、前記瓶１の周囲を装飾するものである。なお、前記瓶１は、図２（Ａ），（Ｂ）に示すように、胴２と、該胴２より断面積が小さい首３を有し、その首３の先端の注口を蓋４により閉塞したものである。
【００１２】
前記箱本体１０は、図１および図２（Ａ），（Ｂ）に示すように、長方形状をなす底壁１１の縁から４つの側壁１２Ａ〜１２Ｄを設けた段ボール紙製の周知のものである。これら側壁１２Ａ〜１２Ｄは、底壁１１に連続する外壁部と、該外壁部に連続する内壁部とからなる２層構造とされている。この箱本体１０は、後述する中敷き２４を配置することにより、仕切壁２６によって収容部１３Ａ，１３Ｂに区画される。これら収容部１３Ａ，１３Ｂには、前記瓶１を並列に位置させ、長尺な縦方向に寝かせて配置される。
【００１３】
前記装飾ヘッド部材１４は、図１、図２および図３（Ａ）に示すように、前記箱本体１０において、瓶１の首３の先端に配置される段ボール紙製ものである。この装飾ヘッド部材１４は、箱本体１０の底壁１１から側壁１２Ａに沿って立設する装着部１５と、該装着部１５の上端に連続する装飾部１６とからなり、これらの境界部分には肉厚を圧縮して形成した折曲線１７が設けられいてる。
【００１４】
前記装着部１５は、箱本体１０の横方向の間隔、即ち、側壁１２Ｂ，１２Ｄの内面の間隔と略同一の幅を備え、その両側部には瓶１の首３の先端に対応する位置に位置決め用の貫通孔１８が設けられている。
【００１５】
前記装飾部１６には、その瓶１の首３と対応する先端から折曲線１７に向けて延びる挿通溝１９と、該挿通溝１９の先端に連続する位置決め溝２０とがそれぞれ一対設けられるとともに、これらの間には先端から折曲線１７に向けて延びる中溝２２が設けられている。
【００１６】
前記挿通溝１９は、図３（Ｂ）に示すように、その先端の間隔Ｄ１が対応する瓶１の首３の外径より広く、位置決め溝２０との交差部位の間隔Ｄ２が瓶１の先端である蓋４の外径より小さくなるように、先端に向けて漸次拡開する形状とされている。前記位置決め溝２０は、図２（Ｂ）に示すように、該装飾部１６を傾斜させた装着状態で、水平視で円形状をなすように楕円形状とされている。これら挿通溝１９と位置決め溝２０との境界部分である交差部分は、瓶１の首３の表面に係止する係止部２１を構成する。前記中溝２２は、後述する中敷き２４の仕切壁２６および湾曲部３１Ａ，３１Ｂを挿通するものである。本実施形態では、前記装飾部１６の両側縁および中溝２２の縁は、装着状態で後述する装飾部材３０の湾曲部３１Ａ，３１Ｂの湾曲に沿うように面取部２３が設けられている。
【００１７】
前記中敷き２４は、図１に示すように、段ボール紙製の下敷部材２５と、軟質なボール紙（単紙）製の装飾部材３０とからなる。
【００１８】
前記下敷部材２５は、図１および図４に示すように、中央部に位置する仕切壁部２６Ａ，２６Ｂと、これらの両側に連続した底壁部２７Ａ，２７Ｂとからなる。前記仕切壁部２６Ａ，２６Ｂの中央には、肉厚を圧縮した一対の折曲線２８が設けられている。また、前記仕切壁部２６Ａ，２６Ｂと底壁部２７Ａ，２７Ｂとの間には、肉厚を圧縮した折曲線と、所定間隔をもって切断部とを設けたリード罫２９が設けられている。この下敷部材２５は、前記折曲線２８に仕切壁部２６Ａ，２６Ｂ沿って山折りするとともに、リード罫２９に沿って底壁部２７Ａ，２７Ｂを谷折りすることにより、前記箱本体１０の底壁１１に敷設する１つの底壁２７と、該底壁の中央から立設する１つの仕切壁２６とを構成する。
【００１９】
前記装飾部材３０は、図１および図５に示すように、中央に位置する湾曲部３１Ａ，３１Ｂと、これらの両側に連続した立上部３２Ａ，３２Ｂとからなる。前記湾曲部３１Ａ，３１Ｂの中央には、肉厚を圧縮した折曲線３３が設けられるとともに、この湾曲部３１Ａ，３１Ｂと立上部３２Ａ，３２Ｂとの間には同様に折曲線３４がそれぞれ設けられている。この装飾部材３０は、これら折曲線３３，３４に沿って山折りし、両側の立上部３２Ａ，３２Ｂを箱本体１０の横方向両側の側壁１２Ｂ，１２Ｄに沿って立設することにより、これらの間の湾曲部３１Ａ，３１Ｂを、仕切壁２６で区画された収容部１３Ａ，１３Ｂ内に湾曲して没入する。この装飾部材３０の４つの隅には、装着作業性を向上するために傾斜部３５が設けられている。また、装飾部材３０の先端縁には、前記装飾ヘッド部材１４を装着するための切欠部３６が設けられている。
【００２０】
前記構成の装飾ヘッド部材１４および装飾部材３０には、装着状態で上面となる一面に収容する商品に応じた希望のデザインで印刷が施される。
【００２１】
前記箱本体１０に装飾ヘッド部材１４、中敷き２４および商品である瓶１を収容する場合には、例えば、まず、中敷き２４を構成する下敷部材２５を、その底壁２７の側から箱本体１０の底壁１１に敷設する。
【００２２】
ついで、中敷き２４を構成する装飾部材３０を箱本体１０上に配置し、図１に示すように、立上部３２Ａ，３２Ｂを垂直に位置させるとともに切欠部３６が先端側に位置するようにして、箱本体１０内に挿入する。これにより、この装飾部材３０は、前述のように、側壁１２Ｂ，１２Ｄに沿って立上部３２Ａ，３２Ｂが立設するとともに、湾曲部３１Ａ，３１Ｂが仕切壁２６の上部において湾曲方向が反転し、それぞれの収容部１３Ａ，１３Ｂ内に湾曲した状態で没入する。
【００２３】
次に、上方を開放したそれぞれの収容部１３Ａ，１３Ｂに瓶１を収容させた後、図２（Ａ）に示すように、瓶１の先端および仕切壁２６の先端と、箱本体１０の側壁１２Ａとの間に位置するように、装飾部材３０の切欠部３６内に装飾ヘッド部材１４の装着部１５を挿入する。なお、箱本体１０に対して装飾ヘッド部材１４を先に装着した後、首３の先端が装飾部１６の下部に位置するように瓶１を収容させてもよい。
【００２４】
これにより、この装飾ヘッド部材１４は、その装着部１５が仕切壁２６Ｂおよび湾曲部３１Ａ，３１Ｂに当接することにより前倒れすることなく、その装着状態が維持される。また、中敷き２４を構成する装飾部材３０では、湾曲部３１Ａ，３１Ｂが瓶１の胴２の外周部に沿って湾曲した状態をなす。
【００２５】
ついで、瓶１の首３上に延びている装飾ヘッド部材１４の装飾部１６を上方から押し下げる。そうすると、この装飾部１６は、各挿通溝１９に瓶１の首３が位置し、該挿通溝１９の内部に瓶１の首３が挿通され、ついで、係止部２１が首３の外周部に干渉する。この状態で、作業者は、装飾部１６を無理に押し下げることにより、係止部２１が撓みながら下側に乗り越える。これにより、挿通溝１９と連続した位置決め溝２０内に瓶１の首３が位置し、外嵌する。
【００２６】
この状態では、装飾ヘッド部材１４は、装飾部１６が段ボール紙自身の弾性により装着部１５に対して直線状に延びた原状に戻るように作用する。しかし、その弾性力だけでは、瓶１の首３および蓋４の外径より間隔Ｄ２が狭い係止部２１は、上方に乗り越えることができない。その結果、その係止部２１が瓶１の首３に干渉して弾性的に係止した傾斜状態を維持する。このように、本発明の包装箱の装飾ヘッド部材１４は、装着部１５を箱本体１０に差し込んだ状態で、装飾部１６を押し下げるだけで、簡単に装着することができる。
【００２７】
また、この装着状態では、瓶１の首３の外周が傾斜した装飾部１６で覆われ、かつ、位置決め溝２０によって瓶１の首３を外嵌して位置決めしている。そのため、搬送中に収容した瓶１が移動して割れるなどの問題が生じることを防止できるうえ、装飾に係る美観を向上できる。
【００２８】
しかも、本実施形態では、中敷き２４を構成する装飾部材３０に、瓶１の胴２の外周部に沿って湾曲する湾曲部３１Ａ，３１Ｂを設けているため、その湾曲と前記装飾ヘッド部材１４とで、より一層高い装飾性を得ることができる。
【００２９】
さらに、前記装飾ヘッド部材１４は、中敷き２４とは別体からなるため、装飾に係るデザインを印刷する面積を最小限に抑えることができる。その結果、生産に係るコストダウンを図ることができる。
【００３０】
なお、本発明の包装箱は、前記実施形態の構成に限定されるものではない。
例えば、前記実施形態では、中敷き２４を下敷部材２５と装飾部材３０とで構成したが、図６および図７に示すように、装飾部材３０は必ずしも設ける必要はない。このようにしても、商品である瓶１の首３の周りを作業性よく装飾することができる。
【００３１】
また、前記実施形態では、箱本体１０の内部に２本の瓶１を商品として収容するようにしたが、１本のみ収容するようにしてもよい。この場合、図８および図９に示すように、隣接する瓶１が互いに衝突することによって割れるなどの問題が生じることはないため、中敷き２４を構成する下敷部材２５は設けない構成としてもよい。このようにしても、前記と同様に、商品である瓶１の首３の周りを作業性よく装飾することができる。
【００３２】
さらに、１本のみ収容する場合では、装飾部材３０をも設けず、装飾ヘッド部材１４のみを使用した構成としてもよい。さらにまた、箱本体１０の内部には、３本以上の瓶１を商品として収容する構成としてもよい。
【００３３】
また、前記実施形態では、装飾ヘッド部材１４は、装着部１５の上端に装飾部１６が連続するように設けたが、図１０に示すように、上側連続部４０を介して装着部１５に装飾部１６が連続するようにしてもよい。さらに、貫通孔１８は必ずしも設ける必要はない。
【００３４】
さらに、前記実施形態では、装飾ヘッド部材１４の係止部２１は、挿通溝１９を傾斜することにより位置決め溝２０との交差部分で形成したが、該挿通溝１９を瓶１の首３より大きい幅とし、専用に設けた突起により構成してもよい。
【００３５】
【発明の効果】
以上の説明から明らかなように、本発明の包装箱では、装飾ヘッド部材を箱本体に差し込んだ状態で、装飾部を押し下げるだけで、位置決め溝内に商品の首を位置させ、係止部で原状に戻ることを抑制した装着状態とすることができる。そして、この状態では、商品の首周りを傾斜した装飾部で覆うことができるため、装飾に係る美観を向上できる。
【図面の簡単な説明】
【図１】本発明の実施形態に係る包装箱を示す分解斜視図である。
【図２】（Ａ），（Ｂ）は装飾ヘッド部材の装着工程を示す斜視図である。
【図３】（Ａ）は装飾ヘッド部材の展開状態を示す平面図、（Ｂ）は（Ａ）の要部拡大平面図である。
【図４】中敷きを構成する下敷部材の展開状態を示す平面図である。
【図５】中敷きを構成する装着部材の展開状態を示す平面図である。
【図６】包装箱の変形例を示す分解斜視図である。
【図７】図６の包装箱による包装状態を示す斜視図である。
【図８】包装箱の他の変形例を示す分解斜視図である。
【図９】図８の包装箱による包装状態を示す斜視図である。
【図１０】装飾ヘッド部材の変形例を示す斜視図である。
【符号の説明】
１…瓶（商品）、２…胴、３…首、１０…箱本体、１１…底壁、１２Ａ〜１２Ｄ…側壁、１４…装飾ヘッド部材、１５…装着部、１６…装飾部、１９…挿通溝、２０…位置決め溝、２１…係止部、２４…中敷き、２５…下敷部材、２６…仕切壁、２７…底壁、３０…装飾部材、３１Ａ，３１Ｂ…湾曲部、３２Ａ，３２Ｂ…立上部。
【図１】
2004010072.tif 000003
【図２】
2004010072.tif 000004
【図３】
2004010072.tif 000005
【図４】
2004010072.tif 000006
【図５】
2004010072.tif 000007
【図６】
2004010072.tif 000008
【図７】
2004010072.tif 000009
【図８】
2004010072.tif 000010
【図９】
2004010072.tif 000011
【図１０】
2004010072.tif 000012